(57)【特許請求の範囲】
【請求項１】
本体の側壁にシロアリが通過可能な大きさの開口部が少なくとも１つ形成されている、シロアリの検出および駆除の少なくとも一方を行うシロアリ捕獲装置であって、
本体内部のシロアリ用エサ配置部には、シロアリ用エサの配置および取出しを行うための複数のエサ取出手段が取出可能に積み重ねられており、
エサ取出手段は、掛着手段を備えており、
掛着手段は、第１のエサ取出手段が、隣接する第２のエサ取出手段に対して特定の向きに配置された場合にのみ、第１のエサ取出手段と第２のエサ取出手段とを掛着するものであることを特徴とするシロアリ捕獲装置。
【請求項２】
上記エサ取出手段は、シロアリ用エサの周囲を取り囲む枠部を備えており、
枠部にシロアリ用エサが嵌挿されているものであること特徴とする請求項１に記載のシロアリ捕獲装置。
【請求項３】
上記エサ取出手段は、形状が略同一である枠部を複数備えており、
複数の枠部は、その中心軸が略一致し、該中心軸を軸として回動可能に接合されているものであることを特徴とする請求項２に記載のシロアリ捕獲装置。
【請求項４】
上記エサ取出手段は、上記枠部の外側面に取出つまみ部を備えているものであることを特徴とする請求項２または３に記載のシロアリ捕獲装置
【請求項５】
上記取出つまみ部が、その一端が上記枠部の外側面に蝶番部を介して結合されている板状体であることを特徴とする請求項４に記載のシロアリ捕獲装置。
【請求項６】
上記本体内部は、上記シロアリ用エサ配置部に加えて、さらに、アリ用エサが配置されるアリ用エサ配置部を備えていることを特徴とする請求項１乃至５のいずれか１項に記載のシロアリ捕獲装置。
【請求項７】
上記シロアリ用エサ配置部と上記アリ用エサ配置部とが、アリが通過可能な大きさの空隙が形成されている内壁により分離されていることを特徴とする請求項６に記載のシロアリ捕獲装置。
【請求項８】
地中において腐敗または腐食に耐え、かつ抗シロアリ性の材料からなるものであることを特徴とする請求項１乃至７のいずれか１項に記載のシロアリ捕獲装置。
【請求項９】
請求項１ないし８のいずれか１項に記載のシロアリ捕獲装置を用いたシロアリ検出方法であって、
上記シロアリ捕獲装置を地中に配置する捕獲装置配置ステップと、
上記シロアリ用エサ配置部に、相互に掛着している複数のエサ取出手段により非殺蟻性のシロアリ用エサを配置するエサ配置ステップと、
上記相互に掛着している複数のエサ取出手段を、上記シロアリ用エサ配置部から取出して、シロアリの検出の有無を確認する検出確認ステップと、を含むことを特徴とするシロアリ検出方法。
【請求項１０】
請求項１ないし８のいずれか１項に記載のシロアリ捕獲装置を用いたシロアリ駆除方法であって、
上記シロアリ捕獲装置を地中に配置する捕獲装置配置ステップと、
上記シロアリ用エサ配置部に、相互に掛着している複数のエサ取出手段により非殺蟻性のシロアリ用エサを配置するエサ配置ステップと、
上記相互に掛着している複数のエサ取出手段を、上記シロアリ用エサ配置部から取出して、シロアリの検出の有無を確認する検出確認ステップと、
検出確認ステップにおいてシロアリが検出された後に、上記複数のエサ取出手段の掛着を外して分離する取出手段分離ステップと、
取出手段分離ステップにおいて分離された複数のエサ取出手段を、上記シロアリ用エサ配置部に配置するエサ取出手段配置ステップと、
エサ取出手段配置ステップの後に、上記シロアリ用エサ配置部からエサ取出手段を１つ取出して、非殺蟻性のシロアリ用エサを殺蟻性のシロアリ用エサに交換し、上記シロアリ用エサ配置部に配置する殺蟻性エサ配置ステップと、を含むことを特徴とするシロアリ駆除方法。
【発明の詳細な説明】
【０００１】
【発明の属する技術分野】
本発明は、シロアリを誘引して、シロアリの検出および駆除の少なくとも一方を行うシロアリ捕獲装置ならびにこれを用いたシロアリ検出方法およびシロアリ駆除方法に関するものである。
【０００２】
【従来の技術】
従来、家屋等の構造物をシロアリの被害から保護するために、シロアリの存在する可能性のある領域、あるいは、シロアリによる被害を予防することが必要な領域に殺虫剤を散布する方法が行われている。しかし、構造物の特定の領域におけるシロアリの被害をくい止めるために、シロアリの存在する可能性のある領域に殺虫剤を散布する方法では、殺虫剤に直接触れるシロアリを駆除できるのみであり、群れを構成する膨大な数のシロアリを駆除することができない。
【０００３】
また、殺虫剤の散布によりシロアリの被害を予防する方法では、散布された殺虫剤の生物学的活性が経時的に失われることに伴い、シロアリの侵入を阻止する効力も失われるという問題点がある。さらに、環境への影響等を考慮すると大量の殺虫剤を散布することは好ましくない。
【０００４】
上記大量の殺虫剤を散布する以外のシロアリ駆除方法としては、従来、容器内部にシロアリを集めて、その容器に殺蟻性を有するエサ（毒性エサ）を配置し、該毒性エサを前記容器内部に集まったシロアリの巣に持ち帰らせることにより、少量の毒性エサを用いてシロアリを駆除する方法が行われている。
【０００５】
上記システムでは、毒性エサをシロアリの巣に持ち帰らせる通路を形成するために、まず容器内部にシロアリを集めるためのエサ（要撃材）を配置してシロアリを集め、その後に要撃材を毒性エサに交換するものである。しかし、要撃材を毒性エサに交換するときにシロアリに刺激を与えると、シロアリによるシステムの放棄を早めてしまう。このため、シロアリに刺激を与えることなく、要撃材を毒性エサへ交換することを可能とするシステムが嘱望されている。
【０００６】
上記毒性エサへの交換の際のシロアリに対する刺激を緩和するシステムとして、特表２００１−５２０５１７号公報に、装置内部で積み重ねられている害虫用のエサを選択的に取出すために、害虫用のエサを選択的に移動させる取出し手段同士を係合させている害虫誘引監視設備が記載されている。
【０００７】
上記害虫誘引監視設備の概略構成を図１４に示す。同図に示すように、上記害虫誘引監視設備４００は、フランジ４１、蓋４２、本体４７、害虫用エサ４９ａ・４９ｂ、取出手段５０および取出手段５２を備えている。
【０００８】
上記害虫用エサ４９ａ・４９ｂは、それぞれ、長手方向に貫通する通路を備えている。そして、本体４７内部で、取出手段５２の上に取出手段５０が積み重ねられた状態において、上側の取出手段５０が害虫用エサ４９ａの通路のみに受け入れられ、下側の取出手段５２が害虫用エサ４９ａおよび害虫用エサ４９ｂの通路に受け入れられている。
【０００９】
上記の構成により、取出手段５２の把持手段５３を引き上げて害虫用エサ４９ａ・ｂを一体として両方取出すこと、または取出手段５０の把持手段５１を引き上げて害虫用エサ４９ａのみを取出すこと、を任意に行うことができる。したがって、シロアリが検出された後には、本体４７から害虫用エサ４９ａのみを取出して、害虫用エサ４９ｂのシロアリへの刺激を防ぐことが可能である。
【００１０】
【発明が解決しようとする課題】
しかしながら、上記害虫監視設備４００においては、本体４７内部の取出手段５０と取出手段５２との係合状態がシロアリ検出の前後において同じである。このため、シロアリの検出段階のみならず、シロアリの検出後であっても、把持手段５３を引き上げて害虫用エサ４９ａ・ｂを両方取出すことができる。
【００１１】
それゆえ、シロアリの検出後に、検出されたシロアリへの刺激を防ぐために、シロアリ用エサ４９ａのみを取出す場合であっても、錯誤により把持手段５１ではなく把持手段５３を引き上げてしまうことが起こる。この場合、害虫用エサ４９ａ・ｂが両方取出されて、シロアリ用エサ４９ｂのシロアリに対して不要な刺激を与えてしまう。このため、シロアリ検出後において、シロアリに対する刺激により害虫誘引監視設備の放棄が促進されるという問題点を確実に解消するためには、上記害虫監視設備では不十分である。
【００１２】
本発明は、上記の問題点を解決するためになされたもので、その目的は、シロアリが検出された後に、検出されたシロアリに不要な刺激が加わることを確実に防止することができるシロアリ捕獲装置ならびにこれを用いた効果的なシロアリ検出方法および駆除方法を提供することにある。
【００１３】
【課題を解決するための手段】
本件発明の発明者らは、鋭意検討した結果、特定の向きに配置された場合にのみ掛着する掛着手段を備えるエサ取出手段を用いることにより、上記課題を解決できることを見出して、本件発明を完成するに至った。
【００１４】
本発明のシロアリ捕獲装置は、上記の課題を解決するために、本体の側壁にシロアリが通過可能な大きさの開口部が少なくとも１つ形成されている、シロアリの検出および駆除の少なくとも一方を行うシロアリ捕獲装置であって、本体内部のシロアリ用エサ配置部には、シロアリ用エサの配置および取出しを行うための複数のエサ取出手段が取出可能に積み重ねられており、エサ取出手段は、掛着手段を備えており、掛着手段は、第１のエサ取出手段が隣接する第２のエサ取出手段に対して特定の向きに配置された場合にのみ第１のエサ取出手段と第２のエサ取出手段とを掛着するものであることを特徴としている。
【００１５】
上記の構成によれば、エサ取出手段の向きを変えることにより、隣接するエサ取出手段の掛着状態を変化させることができる。このため、シロアリの検出段階に応じてエサ取出手段の掛着状態を変化させて、検出されたシロアリに対して刺激が加わることを確実に防止することが可能となる。なお、本発明において「刺激」とは、検出されたシロアリの環境が変化することをいい、例えば、シロアリに振動、圧力等の力が加わることや、紫外線、可視光線などの光が照射されること、風（空気の動き）、温度変化等をいう。
【００１６】
例えば、シロアリが検出される迄はシロアリ用エサ配置部の複数のエサ取出手段を相互に掛着しておき、シロアリが検出された後は掛着を外してそれぞれを別個に取り出せるように配置する。これにより、シロアリが検出されたか否かを確認するまでは、相互に掛着している複数のエサ取出手段を一体として一度に取出すことができ、シロアリが検出された後には、他のエサ取出手段のシロアリに刺激を与えないように一つのエサ取出手段のみを取出すことができる。
【００１７】
したがって、シロアリが検出された後、シロアリを集めるためのエサ（要撃材）を毒性エサに交換するときに、誤って複数のエサ取出手段の全てが取出されることにより、エサ配置部のシロアリが刺激されることを確実に防止できる。このため、刺激によって検出されたシロアリによるシロアリ捕獲装置の放棄が早くなることを確実に防止し、検出されたシロアリ対する毒性エサの供給を効果的に行い、シロアリを駆除することができる。
【００１８】
本発明のシロアリ捕獲装置は、上記エサ取出手段が、シロアリ用エサの周囲を取り囲む枠部を備えており、枠部にシロアリ用エサが嵌挿されているものであることが好ましい。
【００１９】
上記の構成により、水分の吸収により膨張しやすいシロアリ用エサを用いた場合であっても、シロアリ用エサの周囲を取り囲む枠により膨張を抑制することができる。したがって、上記側壁とシロアリ用エサとの接触を抑えて、シロアリ用エサの取出しを容易にすることができる。
【００２０】
本発明のシロアリ捕獲装置は、上記エサ取出手段が、形状が略同一である枠部を複数備えており、複数の枠部は、その中心軸が略一致し、該中心軸を軸として回動可能に接合されているものであることが好ましい。
【００２１】
上記の構成により、上記シロアリ用エサの膨張をより確実に抑制することができる。すなわち、エサ取出手段の複数の枠部によりシロアリ用エサの周囲を取り囲んで、その膨張をより効果的に抑制することができる。
【００２２】
また、本発明のシロアリ捕獲装置の上記複数の枠部は、その形状が略同一であり、枠部により形成される形状の中心軸が略一致し、該中心軸を軸として回動可能なものであることが好ましい。
【００２３】
上記の構成により、上記シロアリ用エサをエサ取出手段に嵌挿する場合は、複数の枠部を回動させて、シロアリ用エサの嵌挿に適した位置とすることにより、容易に嵌挿することができる。そして、シロアリ用エサが嵌挿された後は、上記複数の枠部を回動させて、異なる方向からシロアリ用エサの周囲を取り囲むことができるから、その膨張をより効果的に抑制することが可能となる。
【００２４】
本発明のシロアリ捕獲装置は、上記エサ取出手段が、上記枠部の外側面に取出つまみ部を備えているものであることが好ましく、また、上記取出つまみ部は、その一端が上記枠部の外側面に蝶番部を介して結合されている板状体であることが好ましい。
【００２５】
上記の構成により、エサ取出手段をエサ配置部から取出すことがより容易になる。また、取出つまみ部として上記板状体を用いることによって、上記外側面に対して略並行または略垂直にすることが可能となる。これにより、必要な場合以外は上記外側面に対して板状体を略並行に重ねて、上記エサ取出手段が積み重ねられる際の障害となることを防止できる。
【００２６】
本発明のシロアリ捕獲装置は、上記本体内部が、上記シロアリ用エサ配置部に加えて、さらに、アリ用エサが配置されるアリ用エサ配置部を備えているものであることが好ましい。
【００２７】
上記の構成により、アリ用エサ配置部のアリ用エサによりシロアリの天敵であるアリを誘引し、シロアリ用エサ配置部からアリを排除することができる。このため、アリの存在によりシロアリ捕獲装置の内部へシロアリが入ることが阻害されたり、シロアリ捕獲装置の内部のシロアリが排除されたりすることを防止できる。したがって、シロアリをより確実にシロアリ用エサ配置部に誘引して、シロアリの検出ならびに駆除をより効果的に行うことができる。
【００２８】
本発明のシロアリ捕獲装置は、上記シロアリ用エサ配置部と上記アリ用エサ配置部とが、アリが通過可能な大きさの空隙が形成されている内壁により分離されていることが好ましい。
【００２９】
上記の構成により、シロアリ用エサ配置部のシロアリとアリ用エサ配置部のアリとをより確実に分離することが可能となる。すなわち、シロアリ捕獲装置の本体内部の内壁には、アリが通過可能な大きさの空隙が設けられているため、本体側壁の開口部からシロアリ捕獲装置の内部に入ったアリは、アリ用エサに誘引されてアリ用エサ配置部に移動することとなる。そして、シロアリ捕獲装置の内部のアリ用エサ配置部とシロアリ用エサ配置部とは内壁により分離されているため、アリ用エサ配置部のアリによるシロアリ用エサ配置部のシロアリへの影響をより確実に防ぐことができる。
【００３０】
本発明のシロアリ捕獲装置は、地中において腐敗または腐食に耐え、かつ抗シロアリ性の材料からなるものであることが好ましい。
【００３１】
上記の構成により、シロアリ捕獲装置が長期間地中に配置されている場合において、シロアリ捕獲装置が腐食、腐敗やシロアリによる害を被ることが防止される。従って、長期間継続してシロアリの捕獲を行うことができる。また、目標とする使用期間によっては、その使用期間中は腐敗または腐食に耐えかつ抗シロアリ性を保持しているが、使用期間終了後は土壌中で分解する、いわゆる生分解性の材料を使用することもできる。
【００３２】
本発明のシロアリ検出方法は、上記の課題を解決するために、上記のシロアリ捕獲装置を用いたシロアリ検出方法であって、上記シロアリ捕獲装置を地中に配置する捕獲装置配置ステップと、上記シロアリ用エサ配置部に、相互に掛着している複数のエサ取出手段により非殺蟻性のシロアリ用エサを配置するエサ配置ステップと、上記相互に掛着している複数のエサ取出手段を、上記シロアリ用エサ配置部から取出して、シロアリの検出の有無を確認する検出確認ステップと、を含むことを特徴としている。
【００３３】
上記の構成により、相互に掛着している複数のエサ取出手段を一度にシロアリ用エサ配置部から取出すことができる。このため、検出確認ステップにおける、シロアリの検出の確認を容易に行うことが可能となる。
【００３４】
本発明のシロアリ駆除方法は、上記の課題を解決するために、上記のシロアリ捕獲装置を用いたシロアリ駆除方法であって、上記シロアリ捕獲装置を地中に配置する捕獲装置配置ステップと、上記シロアリ用エサ配置部に、相互に掛着している複数のエサ取出手段により非殺蟻性のシロアリ用エサを配置するエサ配置ステップと、上記相互に掛着している複数のエサ取出手段を、上記シロアリ用エサ配置部から取出して、シロアリの検出の有無を確認する検出確認ステップと、検出確認ステップにおいてシロアリが検出された後に上記複数のエサ取出手段の掛着を外して分離する取出手段分離ステップと、取出手段分離ステップにおいて分離された複数のエサ取出手段を、上記シロアリ用エサ配置部に配置するエサ取出手段配置ステップと、エサ取出手段配置ステップの後に、上記シロアリ用エサ配置部から、エサ取出手段を１つ取出して、非殺蟻性のシロアリ用エサを殺蟻性のシロアリ用エサに交換し、上記シロアリ用エサ配置部に配置する殺蟻性エサ配置ステップと、を含むことを特徴としている。
【００３５】
上記の構成により、検出されたシロアリに刺激が与えられ、シロアリ捕獲装置の放棄を早めることを確実に防止することができる。すなわち、検出確認ステップにおいてシロアリが検出された後に、複数のエサ取出手段の掛着を外して分離する取出手段分離ステップと、分離された状態のエサ取出手段をシロアリ用エサ配置部に配置するエサ取出手段配置ステップとを含むから、その後の殺蟻性エサ配置ステップにおいて、確実に１つのエサ取出手段のみを取出すことができる。
【００３６】
したがって、シロアリが検出された後に、シロアリ用エサ配置部から取出される必要のないエサ取出手段が誤って取出されて、検出されたシロアリに刺激が与えられることを確実に防止できる。
【００３７】
【発明の実施の形態】
〔実施の形態１〕
本発明の実施の一形態について図１ないし図９に基づいて説明すれば、以下のとおりである。
【００３８】
図２は本実施の形態のシロアリ捕獲装置１００の概略構成を示す斜視図である。図２（ａ）は蓋２側からの斜視図であり、（ｂ）は本体７の底部１７側からの斜視図である。同図に示すように、本実施の形態のシロアリ捕獲装置１００は、本体７の側壁６には複数の開口部５が形成されており、本体７の長手方向の一端には、蓋２および本体７の外径よりも大きな外径を有するフランジ１が取り付けられており、本体７の他端は底部１７となっている。
【００３９】
図１に、本実施の形態のシロアリ捕獲装置１００の内部構造を説明する、その一部が図２（ａ）のＡ−Ａ’に沿って取り除かれた斜視図を示す。同図を用いて、以下に本実施の形態のシロアリ捕獲装置１００の内部構造を説明する。
【００４０】
図１に示すように、本実施の形態のシロアリ捕獲装置１００は、概略的にフランジ１と、蓋２と、本体７とを備えて構成されており、本体７の側壁６および底部１７により画定される本体７の内部は、開口部５を介して外部に通じている。そして本体７の内部のシロアリ用エサ配置部８には、エサ取出手段（第１のエサ取出手段）１８ａおよびエサ取出手段（第２のエサ取出手段）１８ｂが取出し可能に積み重ねられている。
【００４１】
同図に示すように、エサ取出手段１８ａとエサ取出手段１８ｂとは同じ向きに配置されており、掛着されているからシロアリ用エサ配置部８からエサ取出手段１８ａとエサ取出手段１８ｂとを一体として取出すことができる。このエサ取出手段１８ａとエサ取出手段１８ｂとの掛着機構については、後述する。以下、エサ取出手段１８ａとエサ取出手段１８ｂとを特に区別しない場合には、単にエサ取出手段１８という。
【００４２】
上記エサ取出手段１８の概略構成を図３に示す。同図に示すように、エサ取出手段１８は、連結用穴（掛着手段）２０と、連結用リブ（掛着手段）２１と、取出つまみ部（板状体）２２と、蝶番部２３とを備えている。
【００４３】
図４は、連結用穴２０と連結用リブ２１とにより、隣接するエサ取出手段１８が掛着される機構を説明する斜視図である。同図に示すように、エサ取出手段１８ａが、隣接するエサ取出手段１８ｂに対して特定の向きに配置されることにより、エサ取出手段１８ａの連結用リブ２１がエサ取出手段１８ｂの連結用穴２０と嵌合して、エサ取出手段１８ａとエサ取出手段１８ｂとが掛着される。このように、本実施の形態のエサ取出手段１８ａとエサ取出手段１８ｂとは、向きが同じである場合にのみ掛着する。エサ取出手段１８ａとエサ取出手段１８ｂとが掛着されている状態を図５に示す。
【００４４】
これに対して、エサ取出手段１８ａとエサ取出手段１８ｂとの向きが同じでない場合は、連結用穴２０と連結用リブ２１との位置が異なるから両者は嵌合しない。したがって、エサ取出手段１８ａとエサ取出手段１８ｂとは掛着されない。
【００４５】
上記のように、エサ取出手段１８の向きにより、隣接するエサ取出手段１８同士が掛着するか否かを決定することができる。したがって、シロアリが検出されたか否かを確認する段階においては、エサ取出手段１８ａとエサ取出手段１８ｂとを同じ向きに積み重ねておくことにより、両者をシロアリ用エサ配置部８から一度に取出すことが可能となる。
【００４６】
また、シロアリが検出された後の段階においては、エサ取出手段１８ａとエサ取出手段１８ｂとを異なる向きに積み重ねておくことにより、確実にエサ取出手段１８ａのみを取出すことが可能であり、誤ってエサ取出手段１８ｂを取出して、エサ取出手段１８ｂのシロアリに不要な刺激を与えることを確実に防止することができる。
【００４７】
エサ取出手段１８は、非殺蟻性または殺蟻性のシロアリ用エサ９をシロアリ用エサ配置部８に配置するため、およびシロアリ用エサ配置部８から取出すために用いられるものである。このため、シロアリ用エサ９はエサ取出手段１８に取り付けられている必要がある。図６はシロアリ用エサ９がエサ取出手段１８に取り付けられている状態を示す斜視図である。同図に示すように、本実施の形態では、エサ取出手段１８の内径Ｌ（図３参照）よりも、その外径Ｒが大きなシロアリ用エサ９を用いることにより、シロアリ用エサ９をエサ取出手段１８に取り付けている。つまり、シロアリ用エサ９をエサ取出手段１８に嵌挿すると、シロアリ用エサ９の外周をエサ取出手段１８が締め付けるようにして取り囲むから、シロアリ用エサ９がエサ取出手段１８から落ちないように取り付けることができる。
【００４８】
上記のように、エサ取出手段１８がシロアリ用エサ９の外周を取り囲んでいることにより、例えば、水分を吸収して膨潤する紙等をシロアリ用エサ９として用いた場合に、その膨潤を抑制することができる。このため、シロアリ用エサ９と側壁６との接触が抑制されるため、シロアリ用エサ配置部８からシロアリ用エサ９を容易に取出すことが可能となる。また、シロアリ用エサ９に固定の穴や通路等を形成する必要がないため、シロアリ用エサ９の作製が容易である。
【００４９】
図７および図８は、シロアリ用エサ９が取り付けられた状態で積み重ねられているエサ取出手段１８を示している。図７に示すように、エサ取出手段１８ａがエサ取出手段１８ｂと同じ向きに配置されている場合は、連結用穴２０（図３参照）と連結用リブ２１とが嵌合するから両者は掛着する。したがって、エサ取出手段１８ａを取出すことにより、エサ取出手段１８ｂも同時に取出すことができる。
【００５０】
一方、図８に示すように、エサ取出手段１８ａがエサ取出手段１８ｂと異なる向きに配置されている場合は、連結用穴２０（図３参照）と連結用リブ２１とが嵌合しないから両者は掛着しない。したがって、確実にエサ取出手段１８ａのみを取出すことが可能であり、この際にエサ取出手段１８ｂが同時に取出されることはない。
【００５１】
図７および図８に示すように、蝶番部２３を介してエサ取出手段１８に接続されている取出つまみ部２２を立ち上げること、すなわち取出つまみ部２２をエサ取出手段１８の外側面２４に対して略垂直にすることにより、エサ取出手段１８の取出しをより容易にすることができる。なお、上記外側面２４とは、エサ取出手段１８がシロアリ用エサ配置部８に配置されている状態で、蓋２に最も近い面をいう。
【００５２】
また、エサ取出手段１８を取出す場合以外は、破線で示しているように、取出つまみ部２２を、外側面２４に対して略平行にすることにより、エサ取出手段１８を積み重ねるときの障害となることを防止できる。
【００５３】
シロアリ用エサ配置部８には、シロアリの検出および駆除の少なくとも一方を行うために、非殺蟻性または殺蟻性のシロアリ用エサ９が配置される。ここで、非殺蟻性のシロアリ用エサ９は通常、該エサ中に殺蟻成分を実質的に含有していないものであり、殺蟻性のシロアリ用エサ９は通常、該エサ中に少なくとも本発明のシロアリ駆除方法を達成するために必要な量または濃度の殺蟻成分を含有するものである。
【００５４】
具体的には、シロアリを検出する際にはシロアリ用エサ配置部８に非殺蟻性のシロアリ用エサ９を配置してシロアリを誘引し、シロアリを駆除する際には殺蟻性のシロアリ用エサ９を配置し、該殺蟻性のシロアリ用エサ９をシロアリの巣に持ち帰らせる。なお、本体７の内部に非殺蟻性のシロアリ用エサ９および殺蟻性のシロアリ用エサ９を同時に配置し、シロアリの検出および駆除を同時に行うこととしてもよい。
【００５５】
また、例えばシロアリによって建築物が被害を被っていたり、蟻道が確認できていたり等、設置するシロアリ捕獲装置１００周辺にシロアリの棲息が予め確認できている場合には、シロアリ用エサ配置部８に最初から殺蟻性のシロアリ用エサ９を配置し、シロアリの駆除を行ってもよい。
【００５６】
例えば、シロアリを検出する際には、エサ取出手段１８ａおよびエサ取出手段１８ｂのいずれにも非殺蟻性のシロアリ用エサ９を取付けておき、シロアリが検出されたら、シロアリ用エサ配置部８からエサ取出手段１８ａのみを取出し、エサ取出手段１８ａに取付けられている非殺蟻性のシロアリ用エサ９を殺蟻性のシロアリ用エサ９に取り替えることができる。これにより、エサ取出手段１８ｂに配置している非殺蟻性のシロアリ用エサ９のシロアリの状態を乱すことなく、シロアリ用エサ配置部８に殺蟻性のシロアリ用エサ９を配置し、シロアリ用エサ配置部８のシロアリに殺蟻性のシロアリ用エサ９を与えることが可能となる。
【００５７】
エサ取出手段１８に取付けられるシロアリ用エサ９は、シロアリの食するセルロースを含有する材料を用いて作ることができ、例えば、木材、濾紙、未晒紙、和紙、再生紙等のパルプ含有紙、あるいはメチルセルロース、オキシプロピルメチルセルロース、オキシブチルメチルセルロース等のセルロースエーテル等を挙げることができる。また、シロアリ用エサ９の形状は特に限定されないが、例えば、円柱形状、角柱形状、紙を巻いて形成されたロール形状等が挙げられる。なお、シロアリ用エサ９には保湿剤を含ませてもよい。これにより、湿気に誘引される種類のシロアリを効果的に誘引することができる。
【００５８】
シロアリ用エサ９としては、その目的に応じて非殺蟻性または殺蟻性のものが用いられる。非殺蟻性のシロアリ用エサ９は地中のシロアリを本体７の内部のシロアリ用エサ配置部８に誘引することを目的とし、殺蟻性のシロアリ用エサ９はシロアリの巣に殺蟻成分を持ち帰らせることを目的とするものである点で異なる。しかし、いずれもシロアリに摂食させるものであるため、殺蟻成分の有無を除き同じものを用いることができる。
【００５９】
殺蟻性のシロアリ用エサ９に用いられる殺蟻成分としては、遅効性のものが好ましい。遅効性の殺蟻成分を用いることにより、殺蟻性のシロアリ用エサ９を摂食したシロアリは死ぬ前に移動できるため、死ぬ前に巣に戻り殺蟻成分を他のシロアリに伝播させることができる。さらに、本体７の外部に移動した後に死ぬこととなるため、本体７の内部がシロアリの死骸により汚染されて、本体７の内部にシロアリが集まることが阻害されることを防ぐことができる。
【００６０】
つづいて、本実施の形態のシロアリ捕獲装置１００の分解正面図を図９（ａ）、（ｂ）に示す。同図に示すように、本実施の形態のシロアリ捕獲装置１００は、フランジ１と、蓋２と、本体７と、エサ取出手段１８ａとエサ取出手段１８ｂとを備えて構成されている。
【００６１】
フランジ１は、空間部１１が形成されているいわゆるドーナツ型の形状をした円板であり、その内径（空間部１１の直径）は、蓋２の外径より小さく、かつその外径は本体７の外径よりも大きい。このため、本体７の一端が取り付けられているフランジ１により、本体７の側壁６の外面側を取り囲む突起を形成することができる。地中に配置する際にシロアリ捕獲装置１００はフランジ１により支持されるため、本体７を地中の所定の深さに容易に配置することができる。
【００６２】
蓋２は本体７の長手方向の一端に取り外し可能な状態で取り付けられ、本体７の内部に土砂や水等が入る事を防止するものである。また、例えば、子供のいたずら等により蓋２が開けられることを防止するため、シロアリ捕獲装置１００は、蓋２を本体７にロックする機構を備えていることが好ましい。また、蓋２は専用の道具を用いてのみ開閉できるものであることがさらに好ましい。これにより、専用の道具を有する者のみが蓋２を開閉できるため、例えば、子供のいたずら等により蓋２が開けられることを確実に防止することができる。
【００６３】
本体７は側壁６と底部１７とを備えており、その形状は略円筒状である。側壁６には、シロアリが通過することが可能な大きさの複数の開口部５が形成されており、底部１７には、本体７の内部から水を抜くための、図示しない水抜き用穴が形成されている。開口部５の大きさは、シロアリが通過できる大きさであればよく特に限定されない。
【００６４】
なお、本体７の内部に開口部５から土砂や水等が入ることを防ぐために、側壁６の開口部５は、シロアリ捕獲装置１００が地中に配置されているときに開口部５の外面側開口端下部が内面側開口端下部よりも下方に位置するように形成されていることが好ましい。
【００６５】
本実施の形態のシロアリ捕獲装置１００は、地中において腐敗または腐食に耐え、かつ抗シロアリ性の材料からなることが好ましい。このような材料を用いることにより、シロアリ捕獲装置１００の腐敗やシロアリによる被害を防止できるため、長期間継続してシロアリを捕獲し、シロアリの駆除を行うことが可能となる。
【００６６】
シロアリ捕獲装置１００の材料として用いられる、地中において腐敗または腐食に耐え、かつ抗シロアリ性の材料としては、例えばポリエチレン、ポリプロピレン、ポリスチレン、ナイロン、ポリアセタール、ポリフェニレンオキサイド、ポリエチレンテレフタレート、ＡＢＳ樹脂等の樹脂材料；アルミニウム、鉄、ステンレス、ブリキ等の金属材料；陶器、磁器、土器等の鉱物材料等を挙げることができる。
【００６７】
また、シロアリ捕獲装置１００の材料として用いられる生分解性樹脂として、生分解性ポリ乳酸、生分解性脂肪族ポリエステル、生分解性ポリウレタン等を挙げることができる。
【００６８】
以上のように、本実施の形態のシロアリ捕獲装置１００は、エサ取出手段１８ａとエサ取出手段１８ｂとの向きにより両者の掛着状態を制御できる。このため、シロアリが検出された後には、エサ取出手段１８ａとエサ取出手段１８ｂとを掛着させずに分離した状態でシロアリ用エサ配置部８に配置することができる。したがって、エサ取出手段１８ａのみを取出すことが必要なときに誤ってエサ取出手段１８ｂが取出されてシロアリに刺激が加わることにより、シロアリ捕獲装置１００の放棄が早くなることを確実に防止することができる。
【００６９】
〔実施の形態２〕
本発明の他の実施の一形態について、図２、図１０および図１１に基づいて説明すれば、以下のとおりである。本実施の形態においては、上記実施の形態１において説明した部材と機能が同じものについては、同じ番号を付して説明を省略する。
【００７０】
図２（ａ）および（ｂ）は本実施の形態のシロアリ捕獲装置２００の概略構成を示す斜視図である。同図に示すように、本実施の形態のシロアリ捕獲装置２００は、上記実施の形態１のシロアリ捕獲装置１００と外観上は相違しない。
【００７１】
図１０に、本実施の形態のシロアリ捕獲装置２００の内部構造を説明する、その一部が図２（ａ）のＡ−Ａ’に沿って取り除かれた斜視図を示す。同図を用いて、以下に本実施の形態のシロアリ捕獲装置２００の内部構造を説明する。
【００７２】
同図に示すように、本実施の形態のシロアリ捕獲装置２００は、概略的にフランジ１と、蓋２と、本体７とを備えて構成されており、本体７の側壁６および底部１７により画定される本体７の内部は、開口部５を介して外部に通じている。そして本体７の内部のシロアリ用エサ配置部８には、エサ取出手段（第１のエサ取出手段）２８ａおよびエサ取出手段（第２のエサ取出手段）２８ｂが取出し可能に積み重ねられている。本実施の形態のシロアリ捕獲装置２００は、エサ取出手段１８ａ・ｂではなく、エサ取出手段２８ａ・ｂを備えている点で、上記シロアリ捕獲装置１００と相違している。以下、エサ取出手段２８ａとエサ取出手段２８ｂとを特に区別しない場合には、単にエサ取出手段２８という。
【００７３】
つづいて、図１１（ａ）〜（ｄ）を用いて、エサ取出手段２８へのシロアリ用エサ９の取り付けについて説明する。図１１（ａ）に示すように、エサ取出手段２８は第１の枠部２９、および第２の枠部３０より構成されている。第１の枠部２９と第２の枠部３０とは、ほぼ同じ形状の略矩形の枠である。
【００７４】
より具体的には、シロアリ用エサ配置部８に配置された状態における本体７の長軸方向の長さのみ、第１の枠部２９が第２の枠部３０よりも少し長く、第１の枠部２９の内側面と、第２の枠部３０の外側面とが接するように配置されている。また、第２の枠部３０は、第１の枠部２９と共通する、長手方向の中心軸Ｏにおいて第１の枠部２９に枢支されることにより接合されており、この共通する中心軸Ｏを中心として相互に回動することができる。
【００７５】
また、エサ取出手段２８の第１の枠部２９には、エサ取出手段２８がシロアリ用エサ配置部８に配置された状態で、蓋２側となる外側面に第１の突起部（掛着手段）３１が、底部１７側となる面に第２の突起部（掛着手段）３２が、それぞれ設けられている。この、第１の突起部３１の凸部と、第２の突起部３２の穴とは、エサ取出手段２８ａがエサ取出手段２８ｂに対して特定の向きに配置された場合にのみ嵌合し、両者を掛着するものである。
【００７６】
これにより、実施の形態１のエサ取出手段１８と同様に、エサ取出手段２８ａとエサ取出手段２８ｂに対する向きによって、両者を掛着させるか否かを決定することができる。
【００７７】
図１１（ａ）に示すように、エサ取出手段２８の第１の枠部２９と第２の枠部３０とが、同じ方向となるように配置することにより、シロアリ用エサ９をエサ取出手段２８に容易に嵌挿することができる。このようにしてシロアリ用エサ９がエサ取出手段２８に嵌挿された状態を図１１（ｂ）に示している。
【００７８】
また、図１１（ｃ）に示すように、エサ取出手段２８の第１の枠部２９を第２の枠部３０に対して回動させて、異なる方向となるよう配置することもできる。図１１（ｂ）に示す、シロアリ用エサ９が嵌挿された状態で、枠部２９と第２の枠部３０とを回動させることにより、図１１（ｄ）に示すように、シロアリ用エサ９を異なる二方向から囲むことができるため、シロアリ用エサ９をエサ取出手段２８に、よりしっかりと取り付けることが可能となる。これにより、シロアリ用エサ９がエサ取出手段２８から落下することを、より確実に防止することができる。さらに、シロアリ用エサ９の膨張をより確実に防止し、その取出しを容易にすることができる。
なお、本実施の形態において、第１の枠部２９と第２の枠部３０との方向、すなわち、第１の枠部２９の第２の枠部３０に対する方向とは、枠部がそれぞれ４つの辺により形成されているものとみなした場合に、この４辺により規定される２つの面によって形成される角度のことをいい、図１１（ｃ）にＸを用いて示している角度をいう。
【００７９】
以上のように、本実施の形態のシロアリ捕獲装置２００のエサ取出手段２８は、中心軸を中心として回動可能に接合されている略同一形状の枠部であり、第１の枠部２９と第２の枠部３０により構成さている。したがって、シロアリ用エサ９をエサ取出手段２８により確実に取り付けること、および、水分を吸収した場合の膨張を防止し、シロアリ用エサ配置部８からの取出しを容易にすることができる。なお、本実施の形態では、２つの枠部を備えているエサ取出手段２８について説明したが、枠部の数はこれに限られず３つ以上としてもよい。
【００８０】
〔実施の形態３〕
本発明の他の実施の一形態について、図２、図１２および図１３に基づいて説明すれば、以下のとおりである。本実施の形態においては、上記実施の形態１において説明した部材と機能が同じものについては、同じ番号を付して説明を省略する。
【００８１】
図２（ａ）および（ｂ）は本実施の形態のシロアリ捕獲装置３００の概略構成を示す斜視図である。同図に示すように、本実施の形態のシロアリ捕獲装置３００は、上記実施の形態１のシロアリ捕獲装置１００と外観上は相違しない。
【００８２】
図１２に、本実施の形態のシロアリ捕獲装置３００の内部構造を説明する、その一部が図２（ａ）のＡ−Ａ’に沿って取り除かれた斜視図を示す。同図を用いて、以下に本実施の形態のシロアリ捕獲装置３００の内部構造を説明する。
【００８３】
同図に示すように、本実施の形態のシロアリ捕獲装置３００は、概略的にフランジ１と、蓋２と、アリ用エサ台（アリ用エサ配置部）４と、本体７とを備えて構成されており、本体７の側壁６および底部１７により画定される本体７の内部は、開口部５を介して外部に通じている。そして本体７の内部のシロアリ用エサ配置部８には、エサ取出手段（第１のエサ取出手段）１８ａおよびエサ取出手段（第２のエサ取出手段）１８ｂが取出し可能に積み重ねられている。以下、エサ取出手段１８ａとエサ取出手段１８ｂとを区別しない場合は、単にエサ取出手段１８という。なお、本実施の形態においては、エサ取出手段１８を用いたものについて説明するが、代わりにエサ取出手段２８を用いてもよい。
【００８４】
本実施の形態のシロアリ捕獲装置３００は、その本体７の内部にアリ用エサ台４とエサ取出手段１８とを備えており、アリ用エサ台４およびエサ取出手段１８は、それぞれ、アリ用エサ１０およびシロアリ用エサ９を配置するものである。そして、本体７の側壁６および底部１７により画定される本体７の内部は、開口部５を介して外部に通じている。本実施の形態のシロアリ用捕獲装置３００は、上記実施の形態１のシロアリ捕獲装置１００と、アリ用エサ台４を備えている点において相違している。
【００８５】
シロアリ捕獲装置３００が地中に配置（埋設）されると、地中に棲息するシロアリおよびアリは、開口部５を介して本体７の内部に入る。本体７の内部のアリ用エサ台４には、アリを誘引するアリ用エサ１０が配置されており、エサ取出手段１８にはシロアリを誘引するシロアリ用エサ９が配置されている。従って、本体７の内部に入ったアリはアリ用エサ１０に誘引されてアリ用エサ台４に移動する。
【００８６】
このため、本実施の形態のシロアリ捕獲装置３００は、開口部５から本体７の内部に侵入したアリをアリ用エサ台４に誘引し、エサ取出手段１８に配置されているシロアリ用エサ９から排除することができる。これにより、シロアリ用エサ９の周りのアリを排除して、シロアリ用エサ９によるシロアリの誘引をより効果的に行うことができる。
【００８７】
すなわち、本体７内部のアリは、アリ用エサ１０に誘引されてアリ用エサ台４に移動し、該アリはアリ用エサ台４の底部（内壁）３によって本体７のシロアリ用エサ９と分離されている。このため、シロアリの天敵であるアリにより、シロアリ用エサ９にシロアリが集まることが妨害されたり、シロアリ用エサ９からシロアリが排除されたりすることはない。従って、アリによる妨害や排除を受けることなく本体７内部のシロアリをシロアリ用エサ９に誘引することができるため、効果的に本体７の内部にシロアリを誘引し、捕獲（検出）することが可能となる。
【００８８】
つづいて、本実施の形態のシロアリ捕獲装置３００の分解正面図を図１３（ａ）、（ｂ）に示す。同図に示すように、本実施の形態のシロアリ捕獲装置は、フランジ１と、蓋２と、アリ用エサ台４と、本体７と、エサ取出手段１８とを備えて構成されている。
【００８９】
蓋２には、本体７に取り付けられた状態において本体７の内部側となる面にボス部１２が備えられている。このボス部１２はアリ用エサ台４を蓋２に取り付けるためのものである。
【００９０】
アリ用エサ台４は、アリを誘引するアリ用エサを配置するものである。アリ用エサ台４は、底部３と蓋２のボス部１２と嵌合するボス受け部１３とを備えている。蓋２のボス部１２と、アリ用エサ台４の底部３の蓋２側の面に設けられているボス受け部１３との嵌合により、蓋２にアリ用エサ台４が着脱可能に固定される。また、蓋２とアリ用エサ台４との間には、アリが通過可能な隙間（間隙）が形成されるように固定される。上記したように蓋２とアリ用エサ台４とは着脱可能であるため、蓋２からアリ用エサ台４を外してアリを誘引するアリ用エサの交換、追加等を容易に行うことができる。
【００９１】
アリ用エサ台４は、本体７の内径よりもその直径が小さい略円形の底部３を備えており、アリ用エサ台４に配置されるアリ用エサは、底部３によって本体７の内部のシロアリ用エサ９と分離される。底部３の直径は、アリが底部３と本体７の側壁の内面との間にアリが通過できる隙間（間隙）が形成される大きさであればよい。なお、底部３は本体７の内部をアリが移動できる形状とすればよく、例えば、底部３をその一部にアリが通過することができる切欠き部を有する形状としてもよい。
【００９２】
上記したように、蓋２とアリ用エサ台４との間、および底部３と本体７との間には、アリが通過可能な隙間が存在するため、開口部５を介して外部から本体７の内部に入ったアリは、前記隙間を通って、アリ用エサ台４に移動することができる。
【００９３】
なお、本実施の形態においては、アリ用エサ台４は蓋２に固定されている構成としたが、これに限られず、アリ用エサ１０に誘引された本体７内部のアリが、アリ用エサ台４のアリ用エサに移動できるように形成されているものであればよい。
【００９４】
また、上記アリ用エサ１０は、アリを誘引できるものであれば良く、その種類は特に限定されないが、例えば、砂糖、糖蜜、果糖、蛹粉、魚粉、オキアミ、ピーナツ油、大豆油、乾燥酵母等が挙げられ、これらの２種以上の混合物であってもよい。また、アリに対する誘引力を高めるために、さらに、誘引物質、例えば、バニラエッセンス、エチルアルコール、フェロモン等を加えてもよい。
【００９５】
また、上記アリ用エサ１０には、殺蟻成分が含有されていてもよく、該殺蟻成分が含有されている場合にはアリの駆除もあわせて行うことができる。
【００９６】
以上のように、本実施の形態のシロアリ捕獲装置３００は、本体７内部に、アリ用エサが配置されるアリ用エサ台４を備えている。このため、シロアリの天敵であるアリをアリ用エサ台４に誘引し、エサ取出手段１８に配置されているシロアリ用エサ９から排除しシロアリの誘引をより効果的に行うことができる。
【００９７】
本発明は上述した各実施形態に限定されるものではなく、請求項に示した範囲で種々の変更が可能である。すなわち、異なる実施形態にそれぞれ開示された技術的手段を適宜組み合わせて得られる実施形態についても本発明の技術的範囲に含まれる。
【００９８】
〔実施の形態４〕
本発明の実施の形態として、シロアリ検出方法および駆除方法について、シロアリ捕獲装置として上記シロアリ捕獲装置１００を用いた場合について、以下に説明する。
【００９９】
本実施の形態のシロアリ検出方法は、シロアリ捕獲装置１００を地中に配置する捕獲装置配置ステップと、シロアリ用エサ配置部８に、相互に掛着されているエサ取出手段１８ａとエサ取出手段１８ｂとを用いて非殺蟻性のシロアリ用エサ９を配置するエサ配置ステップと、相互に掛着されているエサ取出手段１８ａとエサ取出手段１８ｂとを、シロアリ用エサ配置部８から取出して、シロアリの検出の有無を確認する検出確認ステップと、を含むものである。
【０１００】
捕獲装置配置ステップにおいては、シロアリ捕獲装置１００を地中に配置するために、地表面に適当な大きさの穴を形成して、この穴にシロアリ捕獲装置１００を配置し、側壁６に形成された開口部５を土砂により覆うために、前記穴に土砂を充填する。
【０１０１】
ここで、シロアリ捕獲装置１００を配置するために地表面に形成される穴の直径は、本体７の外径よりも大きくフランジ１（図１参照）の外径よりも小さい。これにより、フランジ１が地表面に引っかかるため、本体７のフランジ１が取り付けられている一端を地表面に位置させて、本体７を所定の深さに配置することが可能となる。
【０１０２】
エサ配置ステップにおいては、エサ取出手段１８ａ（図４参照）の連結用リブ２１とエサ取出手段１８ｂの連結用穴２０とが嵌合するように、エサ取出手段１８ａとエサ取出手段１８ｂの向きを同じに配置して、両者を掛着した状態で非殺蟻性のシロアリ用エサであるシロアリ用エサ９を本体７のシロアリ用エサ配置部８に配置する。
【０１０３】
これにより、検出確認ステップにおいて、シロアリ用エサ配置部８のエサ取出手段１８ａおよびエサ取出手段１８ｂを確実に一度に取出すことができるため、シロアリの検出の有無を確認することができる。
【０１０４】
一般に、シロアリ捕獲装置１００が地中に配置されている状態で下に位置するシロアリ用エサ９のほうが、シロアリを早く検出する。このため、エサ取出手段１８ａの取出しによって、エサ取出手段１８ａに掛着しているエサ取出手段１８ｂが一体として取出されることにより、シロアリの検出段階における手間を軽減することが可能となる。
【０１０５】
本実施の形態のシロアリ駆除方法は、シロアリ捕獲装置１００を地中に配置する捕獲装置配置ステップと、相互に掛着されているエサ取出手段１８ａとエサ取出手段１８ｂとを用いて非殺蟻性のシロアリ用エサ９を配置するエサ配置ステップと、相互に掛着されているエサ取出手段１８ａとエサ取出手段１８ｂとを、シロアリ用エサ配置部８から取出して、シロアリの検出の有無を確認する検出確認ステップと、検出確認ステップにおいてシロアリが検出された後に、エサ取出手段１８ａとエサ取出手段１８ｂとの掛着を外して分離する取出手段分離ステップと取出手段分離ステップにおいて分離されたエサ取出手段１８ａとエサ取出手段１８ｂを、シロアリ用エサ配置部８に配置するエサ取出手段配置ステップと、シロアリ用エサ配置部８から、エサ取出手段１８ａのみを取出して、非殺蟻性のシロアリ用エサ９を殺蟻性のシロアリ用エサ９に交換し、シロアリ用エサ配置部８に配置する殺蟻性エサ配置ステップと、を含んでなるものである。
【０１０６】
捕獲装置配置ステップ、エサ配置ステップ、および検出確認ステップについては上記シロアリ検出方法において説明したとおりである。
【０１０７】
取出手段分離ステップにおいては、エサ取出手段１８ａの連結用リブ２１と、エサ取出手段１８ｂの連結用穴２０との嵌合を外して、両者の掛着を外して分離する。そして、エサ取出手段配置ステップにおいて、分離された状態のエサ取出手段１８ａとエサ取出手段１８ｂとを再度シロアリ用エサ配置部８に配置する。
【０１０８】
殺蟻性エサ配置ステップは、エサ取出手段配置ステップにおいてエサ取出手段１８ａとエサ取出手段１８ｂとが分離された後になされる。このため、エサ取出手段１８ａを取出すときに、エサ取出手段１８ｂが誤って一緒に取出されることはない。したがって、エサ取出手段１８ａを取出すときに、エサ取出手段１８ｂのシロアリに刺激を与えることなく殺蟻性のシロアリ用エサ９を与え、シロアリの駆除を効果的に行うことができる。
【０１０９】
【発明の効果】
本発明のシロアリ捕獲装置は、以上のように、第１のエサ取出手段が、隣接する第２のエサ取出手段に対して特定の向きに配置された場合にのみ、第１のエサ取出手段と第２のエサ取出手段とを掛着する掛着手段を備える構成である。
【０１１０】
それゆえ、シロアリの検出段階に応じて、エサ取出手段の掛着状態を変えて、シロアリの検出後に、全てのエサ取出手段が取出されることを確実に防止することができる。したがって、検出されたシロアリに不要な刺激が与えられることにより、シロアリ捕獲装置の放棄が早くなることを防ぎ、シロアリを効果的に駆除できるという効果を奏する。
【０１１１】
また、本発明のシロアリ捕獲装置の本体内部は、上記シロアリ用エサ配置部に加えて、アリ用エサが配置されるアリ用エサ配置部を備えていることが好ましい。
【０１１２】
これにより、シロアリの天敵であるアリをシロアリ用エサ配置部から取り除き、シロアリを効果的に検出および駆除できるという効果を奏する。
【０１１３】
本発明のシロアリ検出方法は、以上のように、隣接するエサ取出手段が掛着されている複数のエサ取出手段により非殺蟻性のシロアリ用エサを配置するエサ配置ステップを含む構成である。
【０１１４】
それゆえ、シロアリ検出の有無を確認するときに、確実に複数のエサ取出手段を一体として取出すことができる。したがって、シロアリ検出確認作業の効率を向上させられるという効果を奏する。
【０１１５】
本発明のシロアリ駆除方法は、以上のように、上記複数のエサ取出手段の掛着を外して分離する取出手段分離ステップと、取出手段分離ステップにおいて分離された複数のエサ取出手段を、上記シロアリ用エサ配置部に配置するエサ取出手段配置ステップとを含む構成である。
【０１１６】
それゆえ、エサ取出手段配置ステップ後の殺蟻性エサ配置ステップにおいて、複数のエサ取出手段が一体として取出されることを確実に防ぐことができる。したがって、不要な刺激が与えられてシロアリによるシロアリ捕獲装置の放棄が早くなることを確実に防止し、効果的にシロアリを駆除できるという効果を奏する。
【図面の簡単な説明】
【図１】実施の形態１のシロアリ捕獲装置の概略構成を示す、本体、蓋、およびフランジの一部が図２（ａ）のＡ−Ａ’に沿って破断された斜視図である。
【図２】本発明のシロアリ捕獲装置の概略構成を示す斜視図であり、（ａ）は蓋側からの斜視図であり、（ｂ）は本体底部側からの斜視図である。
【図３】図１のシロアリ捕獲装置のエサ取出手段の概略構成を示す斜視図である。
【図４】実施の形態１の隣接するエサ取出手段が掛着される機構を説明する斜視図である。
【図５】実施の形態１の隣接するエサ取出手段同士が掛着されている状態を示す斜視図である。
【図６】実施の形態１のエサ取出手段にロールエサが取り付けられている状態を示す斜視図である。
【図７】実施の形態１のロールエサが取り付けられているエサ取出手段が掛着している状態を示す斜視図である。
【図８】実施の形態１のロールエサが取り付けられているエサ取出手段が掛着していない状態を示す斜視図である。
【図９】実施の形態１のシロアリ捕獲装置の分解正面図であり、（ａ）はフランジ、蓋、および本体の正面図であり、（ｂ）は本体内部に取出し可能に配置されるエサ取出手段の正面図である。
【図１０】実施の形態２のシロアリ捕獲装置の概略構成を示す、本体、蓋、およびフランジの一部が図２（ａ）のＡ−Ａ’に沿って破断された斜視図である。
【図１１】実施の形態２のエサ取出手段を説明する斜視図であり、（ａ）はエサ取出手段の２つの枠部の方向が同じ状態を示す斜視図であり、（ｂ）は（ａ）のエサ取出手段にロールエサが嵌挿された状態を示す斜視図であり、（ｃ）はエサ取出手段の２つの枠部の方向が直交する状態を示す斜視図であり、（ｄ）はエサ取出手段へロールエサが取り付けられた状態を示す斜視図である。
【図１２】実施の形態３のシロアリ捕獲装置の概略構成を示す、本体、蓋、およびフランジの一部が図２（ａ）のＡ−Ａ’に沿って破断された斜視図である。
【図１３】実施の形態３のシロアリ捕獲装置の分解正面図であり、（ａ）はフランジ、蓋、アリ用エサ台および本体の正面図であり、（ｂ）は本体内部に取出し可能に配置されるエサ取出手段１８の正面図である。
【図１４】従来の害虫誘引監視設備の構成例を示す分解斜視図である。
【符号の説明】
１    フランジ
３    底部（内壁）
４    アリ用エサ台（アリ用エサ配置部）
５    開口部
６    側壁
７    本体
８    シロアリ用エサ配置部
９    シロアリ用エサ
１０    アリ用エサ
１８ａ  エサ取出手段（第１のエサ取出手段、枠部）
１８ｂ  エサ取出手段（第２のエサ取出手段、枠部）
２０    連結用穴（掛着手段）
２１    連結用リブ（掛着手段）
２２    取出つまみ部（板状体）
２３    蝶番部
２４    外側面
２８ａ  エサ取出手段（第１のエサ取出手段）
２８ｂ  エサ取出手段（第２のエサ取出手段）
２９    第１の枠部
３０    第２の枠部
３１    第１の突起部（掛着手段）
３２    第２の突起部（掛着手段）
１００、２００、３００    シロアリ捕獲装置
【図１】
0003741211.tif 000002
【図２】
0003741211.tif 000003
【図３】
0003741211.tif 000004
【図４】
0003741211.tif 000005
【図５】
0003741211.tif 000006
【図６】
0003741211.tif 000007
【図７】
0003741211.tif 000008
【図８】
0003741211.tif 000009
【図９】
0003741211.tif 000010
【図１０】
0003741211.tif 000011
【図１１】
0003741211.tif 000012
【図１２】
0003741211.tif 000013
【図１３】
0003741211.tif 000014
【図１４】
0003741211.tif 000015